(57)【特許請求の範囲】
【請求項１】
上面が開口した箱形状のケース部と、このケース部の開口を塞ぐ蓋部と、前記ケース部内に装着される回路部とから形成し、前記回路部は、平板形状の基板部と、この基板部に固定された部品部とから形成し、前記ケース部および前記蓋部には、前記ケース部と前記蓋部とを着脱自在とする着脱部を設け、前記ケース部内に前記基板部を着脱自在とする基板着脱部を設けると共に、前記ケース部の一側面に第１の切欠部を設け、前記蓋部には、前記第１の切欠部に嵌る切欠蓋部を備え、前記基板着脱部は、前記ケース部から前記基板部の下面まで延びた突起部と、前記ケース部から延び、前記ケース部の内方および外方へ撓むと共に前記基板部の上面に引っ掛かる引掛部とから形成し、前記引掛部は、前記ケース部の一側面側に設けた一側面側引掛部と、前記ケース部の一側面側に対向した他側面側に設けた他側面側引掛部とから形成し、前記一側面側引掛部は、前記第１の切欠部に対向して設け、前記第１の切欠部の下端は、前記基板部の下面より下方に位置するように設け、前記第１の切欠部に指を通し、前記ケース部に前記回路部を取り付け、および取り出し可能な構成とし、前記第１の切欠部の形状は、上部は下部に比べて開口が大きい構成とした回路基板ケース。
【請求項２】
前記一側面側引掛部は、前記第１の切欠部の一方側の周縁部寄りに設けた構成とした請求項１に記載の回路基板ケース。
【請求項３】
前記一側面側引掛部は、前記ケース部の一側面側から見て、前記第１の切欠部の左側の周縁部寄りに設けた構成とした請求項１または２に記載の回路基板ケース。
【請求項４】
他側面側引掛部は、撓まないように固定された請求項１から３のいずれかに記載の回路基板ケース。
【請求項５】
前記着脱部は、前記ケース部の対向した両側面から外方へ延びた突起部と、前記蓋部の周縁部から前記突起部と引っ掛かる引掛部とから形成し、前記切欠蓋部には、前記切欠蓋部の周縁部から前記ケース部の前記一側面の内面に沿って延びたガイド部を設けた構成とした請求項１から４のいずれかに記載の回路基板ケース。
【請求項６】
前記回路部の前記基板部は、略長方形形状で、前記基板部の長辺は、前記ケース部の一側面側および他側面側に位置する構成とした請求項１から５のいずれかに記載の回路基板ケース。
【請求項７】
前記ケース部の側面の高さは、前記回路部の高さより高く、前記ケース部の側面には、第２の切欠部を設けた、請求項１から５のいずれかに記載の回路基板ケース。
【請求項８】
前記第２の切欠部の形状は、上部は下部に比べて開口が大きい構成とした請求項７に記載の回路基板ケース。
【請求項９】
前記基板部の周縁部の指で摘むところには、シルク印刷を行なった構成とした請求項１から８のいずれかに記載の回路基板ケース。
【発明の詳細な説明】
【技術分野】
【０００１】
本発明は、空気調和機に用いられる回路基板を固定する回路基板ケースに関する。
【背景技術】
【０００２】
従来の回路基板ケースの構成は以下のようになっていた。
【０００３】
すなわち、電気部品である部品部が載置された基板部と、ケース部に設けられかつ弾性を有する爪部と、前記基板部を前記爪部と挟持して固定するリブとからなる回路基板ケースであって、前記爪部に一体形成されかつその先端が前記爪部の先端より下方向に伸びた解除部材と、前記ケース部上における前記解除部材の真下に設けられた孔部とを備えたことを特徴とする構成となっていた（例えば、特許文献１参照）。
【先行技術文献】
【特許文献】
【０００４】
【特許文献１】特開平０８−１２５３５７号公報
【発明の概要】
【発明が解決しようとする課題】
【０００５】
上記従来例における課題は、回路部をケース部から部品部を触らずに取り付け、および取り外しすることが困難な点である。
【０００６】
すなわち、従来の物においては、回路部をケース部から部品部を触らずに取り付け、および取り外す場合には、基板部の周縁部とケース部との間の隙間に指を入れ、基板部の周縁部のみを摘み、取り付けおよび取り外しを行うものであるが、基板部の周縁部とケース部との間の隙間が小さい場合には、指が入り難く、回路部をケース部から部品部を触らずに取り付け、および取り外しが困難となる。
【０００７】
ここで、基板部の周縁部とケース部との間の隙間を大きくし、指が入り易くすることも可能であるが、ケース部の体積が大きくなり、結果として商品も大きくなってしまうものである。
【０００８】
そこで本発明は、回路部をケース部から部品部を触らずに取り付け、および取り外しが容易に行うことを目的とするものである。
【課題を解決するための手段】
【０００９】
そしてこの目的を達成するために本発明は、上面が開口した箱形状のケース部と、このケース部の開口を塞ぐ蓋部と、前記ケース部内に装着される回路部とから形成し、前記回路部は、平板形状の基板部と、この基板部に固定された部品部とから形成し、前記ケース部および前記蓋部には、前記ケース部と前記蓋部とを着脱自在とする着脱部を設け、前記ケース部内に前記基板部を着脱自在とする基板着脱部を設けると共に、前記ケース部の一側面に第１の切欠部を設け、前記蓋部には、前記第１の切欠部に嵌る切欠蓋部を備え、前記基板着脱部は、前記ケース部から前記基板部の下面まで延びた突起部と、前記ケース部から延び、前記ケース部の内方および外方へ撓むと共に前記基板部の上面に引っ掛かる引掛部とから形成し、前記引掛部は、前記ケース部の一側面側に設けた一側面側引掛部と、前記ケース部の一側面側に対向した他側面側に設けた他側面側引掛部とから形成し、前記一側面側引掛部は、前記第１の切欠部に対向して設け、前記第１の切欠部の下端は、前記基板部の下面より下方に位置するように設け、前記第１の切欠部に指を通し、前記ケース部に前記回路部を取り付け、および取り出し可能な構成とし、前記第１の切欠部の形状は、上部は下部に比べて開口が大きい構成とした回路基板ケース。
【００１０】
これにより初期の目的を達成するものである。
【発明の効果】
【００１１】
以上のように本発明は、回路部をケース部から部品部を触らずに取り付け、および取り外しが容易に行うことが出来るものである。
【００１２】
すなわち、本発明では、ケース部の一側面に第１の切欠部を設け、基板着脱部は、ケース部から基板部の下面まで延びた突起部と、ケース部から延び、ケース部の内方および外方へ撓むと共に基板部の上面に引っ掛かる引掛部とから形成し、引掛部は、ケース部の一側面側に設けた一側面側引掛部と、ケース部の一側面側に対向した他側面側に設けた他側面側引掛部とから形成し、一側面側引掛部は、第１の切欠部に対向して設け、第１の切欠部の下端は、基板部の下面より下方に位置するように設け、第１の切欠部に指を通し、ケース部に回路部を取り付け、および取り出し可能な構成とし、前記第１の切欠部の形状は、上部は下部に比べて開口が大きい構成としたものである。
【００１３】
つまり、回路部をケース部に取り付ける場合には、回路部の基板部に固定された部品部の外周に位置する基板部の周縁部を摘み、第１の切欠部に指を通し、基板部を突起部と引掛部との間に、引掛部を撓ませながら取り付ける。また、回路部をケース部から取り出す場合には、第１の切欠部に指を通し、第１の切欠部に対向して位置する一側面側引掛部をケース部の外方へ撓ませながら、基板部の周縁部に指を引っ掛け持ち上げることにより、基板着脱部から回路部を外し、基板部の周縁部を摘み、ケース部から取り出すものである。
【００１４】
これらの結果により、回路部をケース部から部品部を触らずに取り付け、および取り外しが容易に行うことが出来るものである。
【００１５】
また、本発明は、基板部の周縁部とケース部の側面との間の隙間に指を入れ、基板部の周縁部のみを摘み、取り付けおよび取り外しを行うものではないので、基板部の周縁部とケース部の側面との間の隙間を大きくする必要が無く、ケース部の小型化ができるものである。
【図面の簡単な説明】
【００１６】
【図１】本発明の実施形態１を示す概略斜視図
【図２】同本体の概略斜視図
【図３】同本体の概略斜視図
【発明を実施するための形態】
【００１７】
（実施の形態１）
以下本発明の一実施形態を添付図面を用いて説明する。
【００１８】
図１、２に示すように、本実施形態の回路基板ケースは、上面が開口した箱形状のケース部１と、このケース部１の開口を塞ぐ蓋部２と、ケース部１内に装着される回路部３とから形成している。
【００１９】
回路部３は、平板形状の基板部４と、この基板部４の上面に固定された部品部５とから形成している。
【００２０】
ケース部１および蓋部２には、ケース部１と蓋部２とを着脱自在とする着脱部６を設けている。
【００２１】
ケース部１は、ケース部１内に基板部４を着脱自在とする基板着脱部７を設けると共に、ケース部１の一側面には、略四角形状の第１の切欠部８を設けている。
【００２２】
蓋部２は、蓋部２の周縁部に、この周縁部から下方に延びた略四角形状の切欠蓋部９を備えている。ケース部１に蓋部２を装着すると、この切欠蓋部９が、第１の切欠部８に嵌り、第１の切欠部８の開口を塞ぐとともに一側面側引掛部１２背面に接合されるものである。
【００２３】
基板着脱部７は、ケース部１の底面から上方に基板部４の下面まで延びた略平板形状の突起部１０と、ケース部１の底面から上方に延び、ケース部１の内方および外方へ撓むと共に基板部４の上面に引っ掛かる引掛部１１とから形成している。この引掛部１１は、ケース部１の底面から上方に延びた支柱部１１ａと、この支柱部１１ａの上部から内方へ突出した爪部１１ｂとから形成し、支柱部１１ａがケース部１の内方および外方へ撓み、爪部１１ｂが基板部４の上面に引っ掛かるものである。引掛部１１は、ケース部１の一側面側に設けた一側面側引掛部１２と、ケース部１の一側面側に対向した他側面側に設けた他側面側引掛部１３とから形成している。
【００２４】
本実施形態における特徴は、一側面側引掛部１２は、第１の切欠部８に対向して設け、第１の切欠部の下端は、基板部４の下面より下方に位置するように設け、第１の切欠部８に指を通し、ケース部１に回路部３を取り付け、および取り出し可能にした点である。
【００２５】
つまり、回路部３をケース部１に取り付ける場合には、回路部３の基板部４に固定された部品部５の外周に位置する基板部４の周縁部を摘み、第１の切欠部８に指を通し、基板部４を突起部１０と引掛部１１との間に、引掛部１１を撓ませながら取り付ける。また、回路部３をケース部１から取り出す場合には、第１の切欠部８に指を通し、第１の切欠部８に対向して位置する一側面側引掛部１２をケース部１の外方へ撓ませながら、基板部４の周縁部に指を引っ掛け持ち上げることにより、基板着脱部７から回路部３を外し、基板部４の周縁部を摘み、ケース部１から取り出すものである。
【００２６】
これらの結果により、回路部３をケース部１から部品部５を触らずに取り付け、および取り外しが容易に行うことが出来るものである。
【００２７】
すなわち、回路部３をケース部１から部品部５を触らずに取り付け、および取り外しが容易に行うことが出来ることによって、直接回路部の部品部に触れることにより発生する部品の傾き等を抑制することができる。
【００２８】
また、本発明は、基板部４の周縁部とケース部１の側面との間の隙間に指を入れ、基板部４の周縁部のみを摘み、取り付けおよび取り外しを行うものではないので、基板部４の周縁部とケース部１の側面との間の隙間を大きくする必要が無く、ケース部１の小型化ができるものである。
【００２９】
また、第１の切欠部８の形状は、上部は下部に比べて開口が大きい構成としたものである。具体的には、第１の切欠部８の形状は、ケース部１の一側面側から見ると、略台形形状で、上辺の長さが下辺に比べて長い形状である。
【００３０】
これにより、回路部３の基板部４に固定された部品部５の外周に位置する基板部４の周縁部を摘み、第１の切欠部８に指を通し、回路部３をケース部１に取り付ける場合に、第１の切欠部８に指が入り易いので、回路部３をケース部１から部品部５を触らずに取り付けが容易に行うことが出来るものである。
【００３１】
また、一側面側引掛部１２は、第１の切欠部８の一方側の周縁部寄りに設けたものである。具体的には、第１の切欠部８は略四角形状で、この第１の切欠部８の周縁部の形状は、略Ｕ字形状である。この略Ｕ字形状の周縁部で、上下方向へ延びる周縁部は、向かい合って２箇所あり、このうちの一方側の周縁部を一方側周縁部とし、他方側の周縁部を他方側周縁部とする。ここで、一側面側引掛部１２と他方側周縁部との距離は、一側面側引掛部１２と一方側周縁部との距離より長いものである。つまり、一側面側引掛部１２と他方側周縁部との間には、指が通る空間部１４が存在するものである。
【００３２】
これにより、回路部３の基板部４に固定された部品部５の外周に位置する基板部４の周縁部を摘み、第１の切欠部８に指を通し、更に、空間部１４まで指を移動させるにより、基板部４を突起部１０と引掛部１１との間に、引掛部１１を撓ませながら容易に取り付けることができる。また、回路部３をケース部１から取り出す場合には、第１の切欠部８に指を通し、第１の切欠部８に対向して位置する一側面側引掛部１２をケース部１の外方へ撓ませながら、別の指を空間部１４から入れ、基板部４の周縁部に指を引っ掛け持ち上げることにより、基板着脱部７から回路部３を外し、基板部４の周縁部を摘み、ケース部１から取り出すものである。
【００３３】
また、一側面側引掛部１２は、ケース部１の一側面側から見て、第１の切欠部８の左側の周縁部寄りに設けたものである。つまり、一側面側引掛部１２と他方側周縁部との間の空間部１４が、ケース部１の一側面側から見て、第１の切欠部８の右側に位置し、一側面側引掛部１２が、ケース部１の一側面側から見て、第１の切欠部８の左側に位置するものである。
【００３４】
一般的に日本では右利きの人が多いので、当然、ケース部に回路部の取り出しを行なう場合には、右手で行なうことが多くなり、一側面側引掛部１２の上部に指を引っ掛け、一側面側引掛部１２をケース部１の外方へ撓ませる動作は、人差し指より親指の方がやり易いものである。
【００３５】
すなわち、回路部３をケース部１から取り出す場合には、第１の切欠部８に右手親指を通し、第１の切欠部８に対向して位置する一側面側引掛部１２を右手親指でケース部１の外方へ撓ませながら、右手人差し指を空間部１４から入れ、基板部４の周縁部に指を引っ掛け持ち上げることにより、基板着脱部７から回路部３を容易に外すことができる。ここで、右手親指は右手人差し指より、左側に位置するので、一側面側引掛部１２が、ケース部１の一側面側から見て、第１の切欠部８の左側に位置する方が、一側面側引掛部１２をケース部１の外方へ撓ませる動作がやり易いものである。
【００３６】
結果として、ケース部１の一側面側から見て、第１の切欠部８の左側には一側面側引掛部１２が位置し、第１の切欠部８の右側には空間部１４が位置することのより、右利きの人が、回路部３をケース部１から部品部５を触らずに取り付け、および取り外しを容易に行うことが出来るものである。
【００３７】
また、他側面側引掛部１３は、撓まないように固定されたものである。具体的には、ケース部１の底面から上方に延びた他側面側引掛部１３が、ケース部１の他側面側の側面と連結し固定されているものである。
【００３８】
すなわち、他側面側引掛部１３と一側面側引掛部１２の両方を撓ませる構成にすると、挿入しようとした時に、作業が安定せず、無理に押し込もうとすると、こじて破損し易く、また衝撃で外れ易いが、この構成により、他側面側引掛部１３は、撓まないので、基板部４を先に他側面側引掛部１３に引っ掛けた後に一側面側引掛部１２を撓ませて装着させる必要があるが、一側面側引掛部１２だけを撓ませれば良いので作業が安定し、引っ掛け部をこじて破損させることがない。
【００３９】
また、ケース部１に蓋部２を装着すると、切欠蓋部９が一側面側引掛部１２背面に接合され、一側面側引掛部１２が外方へ撓まなくなるので、基板部４が衝撃等で外れることを抑制することができる。
【００４０】
また、着脱部６は、ケース部１の対向した両側面から外方へ延びた突起部１５と、蓋部２の周縁部から突起部１５と引っ掛かるケース引掛部１６とから形成し、切欠蓋部９には、切欠蓋部９の周縁部からケース部１の一側面の内面に沿って延びたガイド部１７を設けた構成としたものである。具体的には、着脱部６は、ケース部１の対向した両側面上部から外方へ延びた断面形状が略三角形である突起部１５と、この突起部１５を囲むように引っ掛かる、蓋部２の周縁部から下方向に延びた略Ｕ字形状のケース引掛部１６とから形成している。そして、切欠蓋部９には、切欠蓋部９の周縁部からケース部１の一側面の内面に沿って延びた略Ｕ字形状のガイド部１７を備えている。
【００４１】
すなわち、ケース部１に蓋部２を装着する場合に、まず、蓋部２の切欠蓋部９に設けたガイド部１７をケース部１の内面に沿わせながら、切欠蓋部９をケース部１の第１の切欠部８に上部から挿入し、更に、蓋部２のケース引掛部１６と切欠蓋部９のガイド部１７との間に、ケース部１の側面が入るように挿入する。これにより、ケース部１と蓋部２との位置関係が装着される位置関係となり、ケース部１に蓋部２が容易に装着できるものである。
【００４２】
また、回路部の部品部は、複数の電子部品により構成され、これらの電子部品の中で重量が重い重量電子部品は、基板部におけるケース部の一側面側に位置するものである。
【００４３】
これにより、基板部４をケース部１に装着する際に基板部４端面を片手でつまむ必要があるが、重量が重い重量電子部品の近傍をつまめるので安定して摘むことができ、ケース部１に基板部４を容易に装着できるものである。
【００４４】
また、回路部３の基板部４は、略長方形形状で、基板部４の長辺は、ケース部１の一側面側および他側面側に位置する構成としたものである。
【００４５】
すなわち、ケース部１に回路部の３取り付けを行なう場合には、基板部４の一側面側周縁部を摘み、第１の切欠部８に指を通し、突起部１０と他側面側引掛部１３との間に、基板部４の他側面側周縁部を挿入し、一側面側引掛部１２をケース部１の外方へ撓ませながら、基板部４の他側面側周縁部を一側面側引掛部１２に取り付けるものである。ここで、基板部４の長辺である基板部４の一側面側周縁部を摘むことにより、突起部１０および他側面側引掛部１３と指との距離が、略長方形形状の基板部４の短辺を摘む場合に比べ近くなり、ケース部１に基板部４を容易に装着できるものである。
【００４６】
また、ケース部１の側面の高さは、回路部３の高さより高く、ケース部の側面には、第２の切欠部１８を設けたものである。
【００４７】
これにより、ケース部１の第２の切欠部に基板部４のリード線を予め通して固定できるので、蓋部２を装着する際にリード線の噛み込みがなく、ケース部１に蓋部２を容易に装着できるものである。
【００４８】
また、第２の切欠部１８の形状は、上部は下部に比べて開口が大きい構成としたものである。これにより、リード線を第２の切欠部１８に挿入するとき挿入しやすくなり、リード線を予め通して固定できるので、蓋部２を装着する際にリード線の噛み込みがなく、ケース部１に蓋部２を容易に装着できるものである。
【００４９】
また、基板部４の周縁部の指で摘むところには、シルク印刷を行なった構成としたものである。
【００５０】
これにより、基板部４のつまんでも良い位置を容易に知らせることができ、部品やパターン、半田部等の静電気に対して弱い部分を触る可能性を低減でき、組み立て時に静電気による破損を防止できるものである。
【産業上の利用可能性】
【００５１】
以上のように本発明は、回路部をケース部から部品部を触らずに取り付け、および取り外しが容易に行うことが出来るものである。
【００５２】
すなわち、本発明では、ケース部の一側面に第１の切欠部を設け、基板着脱部は、ケース部から基板部の下面まで延びた突起部と、ケース部から延び、ケース部の内方および外方へ撓むと共に基板部の上面に引っ掛かる引掛部とから形成し、引掛部は、ケース部の一側面側に設けた一側面側引掛部と、ケース部の一側面側に対向した他側面側に設けた他側面側引掛部とから形成し、一側面側引掛部は、第１の切欠部に対向して設け、第１の切欠部の下端は、基板部の下面より下方に位置するように設け、第１の切欠部に指を通し、ケース部に回路部を取り付け、および取り出し可能な構成としたものである。
【００５３】
つまり、回路部をケース部に取り付ける場合には、回路部の基板部に固定された部品部の外周に位置する基板部の周縁部を摘み、第１の切欠部に指を通し、基板部を突起部と引掛部との間に、引掛部を撓ませながら取り付ける。また、回路部をケース部から取り出す場合には、第１の切欠部に指を通し、第１の切欠部に対向して位置する一側面側引掛部をケース部の外方へ撓ませながら、基板部の周縁部に指を引っ掛け持ち上げることにより、基板着脱部から回路部を外し、基板部の周縁部を摘み、ケース部から取り出すものである。
【００５４】
これらの結果により、回路部をケース部から部品部を触らずに取り付け、および取り外しが容易に行うことが出来るものである。
【００５５】
従って、家庭用や事務所用などの、空気調和機に用いられる回路基板を固定する回路基板ケースとして活用が期待されるものである。
【符号の説明】
【００５６】
１      ケース部
２      蓋部
３      回路部
４      基板部
５      部品部
６      着脱部
７      基板着脱部
８      第１の切欠部
９      切欠蓋部
１０    突起部
１１    引掛部
１１ａ  支柱部
１１ｂ  爪部
１２    一側面側引掛部
１３    他側面側引掛部
１４    空間部
１５    突起部
１６    ケース引掛部
１７    ガイド部
１８    第２の切欠部
【図１】
0005445238.tif 000002
【図２】
0005445238.tif 000003
【図３】
0005445238.tif 000004